(57)【要約】【課題】  回転基体への物体の緊締・弛緩方法【解決手段】  逆方向に等しい力を供するハウジング部と駆動部が同軸上に設けられた単一の動力工具を使用して回転基体にギアなどの物体を、ボルト、ナット及び座金にて取り付けるに当たり、前記物体の中央開口部に挿通したボルトの脚部を前記回転基体の回転軸上にねじ込み、このボルトの頭部と螺合するスリーブと、当該スリーブを一体に回転する座金とで構成されるスリーブ・座金アセンブリーを包含する第１部分を、座金が前記物体に当接するように前記のボルト頭部に係合させ、前記動力工具のハウジング部及び駆動部の一方を、前記の第１部分に係合させ、他方を第１部分のスリーブと螺合するナットを包含する第２部分に係合させ、前記動力工具にて第１部分又は第２部分の一方を無回転に保持しながら、他方を回転させることにより、前記ボルトを回転させることなく軸方向に動かして物体を回転基体に緊締又は弛緩する工程を包含する。【選択図】  図１
2005042911.tif 000002
【特許請求の範囲】
【請求項１】
ボルトとナットと座金を用いて回転する基体の回転軸上に物体を取り付けてこれを緊締又は弛緩するに際し、逆方向に等分の力が提供されるハウジング部と駆動部とが同軸に設けられた動力工具を用意する工程と、ボルトを回転基体の回転軸上に取り付ける工程と、
ボルトのネジ山と係合するネジ山を持つスリーブと、緊締又は弛緩の対象となる前記物体に当接する座金とで構成されるスリーブ・座金アセンブリーを有する第１部分を、前記工具のハウジング部又は駆動部の一方に接続させる工程と、第１部分の別のネジ山と係合するネジ山を持つナットを持つ第２部分を、前記工具のハウジング部又は駆動部の他方に接続させる工程と、第１部分を回転させることで、第２部分は無回転に維持しながら、第１部分とボルトと回転基体を一緒に回転さるか、あるいは、第１部分とボルトと回転基体を無回転に維持しながら、第２部分を回転させる工程を包含する物体を回転基体に緊締又は弛緩する方法。
【請求項２】
第１部分のスリーブが座金に関して無回転であるが、軸方向に変位可能である請求項１記載の方法。
【請求項３】
緊締又は弛緩の対象となる物体の開口部にボルトが挿通している請求項１記載の方法。
【発明の詳細な説明】
【技術分野】
【０００１】
本発明は、ボルトで取り付けられた或る物体と他の物体を緊締又は弛緩する方法に関し、さらに詳しくは、物体の一方が回転している場合の緊締又は弛緩方法に係る。
【背景技術】
【０００２】
産業界では、ボルト締めが様々な分野で利用されている。ボルト締めの多くは、フランジや包装体などの静止物体を対象としているが、例えば、ギアなどの物体をローターなどの回転する物体にボルト締めすることもある。２つの物体を合体させているボルトにナットを係合させ、そのナットにトルクを付与する場合、物体が静止状態にある場合には、ナットと共にボルトが回転してしまうことがある。また、物体が回転状態にある場合には、と、ナットと共に一方の物体が回転してしまうことが珍しくない。これを防止するために、通常は合体させた物体の反対側に突き出たボルトの多角形ヘッドに、バックアップレンチをあてがってボルトが回転しないようにするか、あるいはボルトが物体の反対側に突き出ない盲ボルトの場合には、そのボルトヘッドにアレンキーを差し込んで、ボルトの回転を阻止するのが通例である。そして、合体させる物体の一方が回転体の場合にも、回転体全体とボルトが回転しないように、ボルトヘッドにアレンキーを差し込んでいた。
【０００３】
しかし、上記したようなバックアップレンチをあてがったり、あるいはアレンキーを差し込んだりすることは、手間を要するばかりでなく、今日の産業界における厳しい安全基準にも適応していない。
【０００４】
ドイツ特許第1,902,413号明細書及び欧州特許EP 0 593 742には、外ナットにトルクを付与している間、内スリーブと座金で構成されるスリーブ・座金アセンブリーを静止状態に保持して、ボルトの回転を防止する方法が、それぞれ開示されている。前記ドイツ特許が提案する方法は、トルク工具以外に保持レンチを利用するが、前記欧州特許が提案する方法では、一つの工具で前記アセンブリーを保持すると共に、ナットにトルクを付与している。この欧州特許の方法は、ボルトで合体させている物体が静止状態であればうまく機能するが、回転状態にある時は、回転する物体が支承面摩擦を消滅させてしまうため、うまく機能しない。何故なら、一つの工具で前記アセンブリーを静止状態に保持し、ナットを回転できるのは、前記アセンブリーの座金と物体との間に支承面摩擦が存在するからに他ならないからである。従って、前記欧州特許が提案する方法を、回転する物体の締結に適用するには、ナットを回転させている間、前記アセンブリーを静止状態に保持するために、トルク工具以外に別の保持工具を必要とする。
【０００５】
保持工具を使用する場合には、その工具の一部を近隣の静止物体に当接させておく必要がある。その理由はナットが引き摺り摩擦を受けるので、そうしておかないと、ナット又はスリーブ・座金アセンブリーが勝手に回転してしまうからである。上記ドイツ特許に記載された方法では、内スリーブと座金とからなるアセンブリーが、ナットの回転方向に回転しないように工具で保持するのに対し、上記欧州特許に記載された方法では、前記アセンブリーが、ナットと逆方向に回転しないように工具で保持している。このように、保持工具を使用する場合でも、ドイツ特許の方法と欧州特許の方法とでは相違するが、何れにしても、引き摺り摩擦が生ずるのは、散発的であるので、ドイツ特許の方法では引き摺り摩擦で回転力が増大又は減少した時に、欧州特許の方法では、引き摺り摩擦がナットの代わりに前記アセンブリーを回転させた時に、ヒトも工具もこれに即座に対処することができない。このことが、どちらの保持工具を使用する場合でも、これを近隣の静止物体に当接させる必要がある理由である。
【発明の開示】
【発明が解決しようとする課題】
【０００６】
従って、本発明の目的は、従来技術のような不便を伴わずに、回転する物体にボルト締めされた物体を回転する物体に対して緊締又は弛緩する方法を提供することにある。
さらに詳しく言えば、本発明は、単一のトルク工具をだけで、回転する物体の回転軸上に、ボルト締めされた別の物体を、ボルトにねじれを与えることなく、緊締又は弛緩する方法に提供することを目的とする。
【課題を解決するための手段】
【０００７】
本発明において、ボルト締めされる物体の一方は、典型的には回転する板状体であるので、これを回転基体と呼ぶ。一方、この回転基体にボルト締めされる他方の物体を、便宜的に取り付け物体とも呼ぶが、この取り付け物体は、通常、回転基体の回転軸上にボルト締めされる。
本発明の方法は、ギアで例示される取り付け物体を、ボルトとナットと座金にて回転基体に回転軸上に取り付ける方法において、正逆両方向に等しい回転力を供するハウジング部と駆動部が同軸上に設けられた単一の動力工具を用意する工程と、回転基体の回転軸上に、取り付け物体の開口部に挿通されたボルトの脚部をねじ込む工程と、そのボルトの頭部のネジ部と螺合可能な雌ネジ部を備えたスリーブと、このスリーブと一体に回転する座金とで構成されるスリーブ・座金アセンブリーを持った第１部分を、座金が取り付け物体に当接するように前記のボルト頭部に係合させる工程と、この第１部分に動力工具のハウジング部及び駆動部の一方を係合させると共に、第１部分のスリーブと螺着可能な雌ネジ部を備えたナットを持った第２部分を、ハウジング部及び駆動部の他方を係合させる工程と、動力工具にて第１部分を回転させることにより、第２部分を無回転に保持しながら、第１部分とボルトと回転基体を一緒に回転させるか、あるいは、動力工具にて第２部分を回転させることにより、回転基体とボルトと第１部分を無回転に保持しながら、第２部分を回転させ、ボルトを軸方向に動かして取り付け物体を回転基体に緊締又は弛緩する工程を包含する。
【発明の効果】
【０００８】
本発明の方法の利点は、ボルトがねじれ(torsion)を受けないこと、付加的な保持工具が不要になること、近隣に静止物体が存在しなくてもよいこと、保持工具を近隣の静止物体に当接させる必要がないため、ボルトに側方負荷が掛からなくなること、作業が安全で、セットアップが簡単になり、作業が迅速に行えることなどである。
【０００９】
本発明を特徴つけている新規な技術事項は、特許請求の範囲に記載されているが、本発明のさらなる内容は、その特長などと共に、図面を参照にした以下の説明から明らかになろう。
【発明を実施するための最良の形態】
【００１０】
回転基体などに物体を緊締又は弛緩する際しては、図１に示すように、単一の動力トルク工具１が使用される。この動力工具は、当業界で公知の回転機構を収納したハウジング部２と、その回転機構と協働する駆動部３とを備えている。前記の回転機構は、外部動力源によって回転する。そして、動力工具１は、例えばハンドル４によって動かすことができる。
【００１１】
図１の動力工具は、例えば、ギアのような物体５を、例えば、ローターのような回転基体６に緊締又は弛緩する際に使用される。ボルト７は物体５の開口部を貫通し、回転基体６に、例えばネジ機構で取り付けられている。
【００１２】
第１部分は、スリーブ８と座金９とで構成される。図示の例では、スリーブ８は、駆動部３と連結されてこれと一緒に回転するが、駆動部３の多角形外面と、スリーブ８の天板の開口部との相互作用により、駆動部３に関してスリーブ８は軸方向に移動することができる。スリーブ８は、雄ネジ部２１と雌ネジ部２２を備え、下部に外スプラインを備えている。座金９は、スリーブ８の外スプライン２３に係合する内スプライン２４を備えている。スリーブ８の雌ネジ２２は、ボルト７の頭部の雄ネジ２５と係合する。
【００１３】
第２部分は、ナット１０と接続部材１１とで構成される。接続部材１１は、ハウジング部２と一緒に回転できるように、例えば、接続部材１１の内スプライン２６とハウジング部の外スプライン２７とが係合している。接続部材１１はさらに、下部にキャッセレーション２８を備え、このものは、ナット１０の上部に設けたキャッセレーション２９と係合している。ナット１０はまた、前記した第１部分のスリーブ８の雄ネジ２１と係合する雌ネジ３０を備えている。
【００１４】
動力工具１の内部回転機構によって駆動部３が回転させられると、スリーブ８と座金９とで構成される第１部分は回転し、ボルト７も回転する。そして、回転基体６もまた回転する。一方、ナット１０と接続部材１１とで構成される第２部分は、回転しないので、ボルト７は軸方向に移動し、物体５を回転基体６に緊締又は弛緩する。
【００１５】
駆動部３の回転で生ずる反力によりハウジング部２が回転した場合は、ナット１０と接続部材１１とで構成される第２部分は回転するが、回転基体６とボルト７と、スリーブ８及び座金９で構成される第１部分とは回転しないので、この場合もボルト７は軸方向に移動して物体５を回転基体６に緊締又は弛緩する。
【００１６】
本発明の緊締又は弛緩方法によれば、ボルト７は摩擦から解放され、付加的な保持手段や反力を吸収させるための近隣静止物体を必要としない。従ってまた、保持手段を静止物体に当接させることで生ずるボルトへの側方負荷を心配する要がない。さらに、緊締作業又は弛緩作業を安全に実施でき、工具の設置も簡便で、作業を迅速に行うことができる。
【００１７】
本発明の別の実施態様では、前記第１部分をハウジング部に接続させ、第２部分を駆動部分に接続させることができる。
【００１８】
上記した各構成要素の１つ又は２つ以上は、上記したタイプとは異なる構造で有効に利用できることは容易に了解できよう。
【００１９】
本発明は、物体を緊締又は弛緩する方法として説明されているが、発明の本質から逸脱することなく、いろいろな部分的改造や構造的変更が可能であるので、本発明は上記した具体例に限定されることはない。
【００２０】
上記したところは、本発明の骨子を充分に説明しているので、当業者は最新の知見を駆使し、従来技術との比較で本発明の特徴と認められる技術的事項を除外することなく、本発明を様々な用途に適用させることができる。
【図面の簡単な説明】
【００２１】
【図１】回転基体に物体を緊締又は弛緩する方法を示す説明図である。
【符号の説明】
【００２２】
１：動力工具                ２：ハウジング部              ３：駆動部
４：ハンドル                ５：物体（ギア）              ６：ピストン
７：ボルト                  ８：スリーブ                  ９：座金
１０：ナット                １１：接続部材
【図１】
2005042911.tif 000003